(57)【要約】【課題】筐体を枠体に対して静止させるのに十分な摩擦力を確保し易く、ねじを長孔内の端側に存在する規定の箇所まで移動させ易い照明装置を提供すること。【解決手段】照明装置１が、少なくとも一方側の端部に延在方向の外側に窪む窪みを有する長孔１７ｄを含む平板状の上側筐体固定部１７ｂ、及び枠体に固定される下側筐体固定部を有する光軸角度調整部材１７と、上側筐体固定部１７ｂに接触するように配置される円環状の樹脂ワッシャー４６,５３と、上側筐体固定部１７ｂの厚さ方向の筐体１０側とは反対側に配置され、樹脂ワッシャー４６,５３を上側筐体固定部１７ｂに押圧すると共に上側筐体固定部１７ｂを筐体１０側に押圧するばね座金５６と、ばね座金５６を上側筐体固定部１７ｂ側に押圧する座面２１ｃを有するねじ２１と、を備えるようにする。【選択図】図４
2020113480.tif 000002
【特許請求の範囲】
【請求項１】
筐体と、
枠体と、
前記筐体内に配置される光源と、
少なくとも一方側の端部に延在方向の外側に窪む窪みを有する長孔を含む平板状の第１固定部、及び前記枠体に固定される第２固定部を有する光軸角度調整部材と、
前記第１固定部の厚さ方向の少なくとも一方側に前記第１固定部に接触するように配置され、樹脂で構成される円環状の樹脂ワッシャーと、
前記第１固定部の前記厚さ方向の前記筐体側とは反対側に配置され、前記樹脂ワッシャーを前記第１固定部に押圧すると共に前記第１固定部を前記筐体側に押圧する付勢部材と、
前記筐体に螺合する雄ねじ部を有して前記長孔及び前記樹脂ワッシャーの貫通孔を通過する軸部、及び前記付勢部材を前記第１固定部側に押圧する座面を有するねじと、
を備える、照明装置。
【請求項２】
前記軸部が挿入され、前記座面で前記筐体側に押圧される筒状のスペーサを備える、請求項１に記載の照明装置。
【請求項３】
前記第１固定部の前記厚さ方向の前記筐体側とは反対側に配置される前記樹脂ワッシャーと、
前記樹脂ワッシャーと前記付勢部材との間に配置され、金属で構成される円環状の金属ワッシャーと、を備え、
前記軸部が、前記金属ワッシャーの貫通孔を通過する、請求項１又は２に記載の照明装置。
【請求項４】
前記付勢部材が、環状の平座金の１か所が切れて捻じれた構造を有するばね座金であり、
前記ばね座金は、一端部が重心よりも前記厚さ方向の一方側に変位する一方、他端部が前記重心よりも前記厚さ方向の他方側に変位し、
前記軸部が、前記ばね座金の中央に設けられたスペースを通過している、請求項１乃至３のいずれか１つに記載の照明装置。
【発明の詳細な説明】
【技術分野】
【０００１】
本開示は、照明装置に関する。
【背景技術】
【０００２】
従来、照明装置としては、特許文献１に記載されているものがある。この照明装置は、所謂ユニバーサルダウンライトであり、光源からの出射光の光軸の鉛直方向に対する傾斜角度を所望の角度に調整できる。詳しくは、この照明装置は、筐体、枠体、筐体内に配置される光源、及び光軸角度調整部材を備え、光軸角度調整部材は、長孔を含む平板状の第１固定部、及び枠体に相対移動不可能に固定される第２固定部を含む。ねじの軸部を、長孔を通過させた後、筐体の所定位置に締め込むことで、光軸角度調整部材を、筐体に固定する。このことから、筐体に対する光軸角度調整部材の固定位置を変動させれば、筐体に対する光軸角度調整部材の傾斜角度を変更できる。したがって、光軸角度調整部材は、枠体に相対移動不可能に固定されて、枠体に対して静止しているため、筐体に対する光軸角度調整部材の固定位置を変動させることで、枠体に対する筐体の傾斜角度を調整できる。よって、枠体の軸方向に対する上記光軸の傾斜角度を調整でき、その結果、鉛直方向に対する光軸の傾斜角度を調整できる。
【先行技術文献】
【特許文献】
【０００３】
【特許文献１】特開２０１８−１８０１２７号公報（第１図）
【発明の概要】
【発明が解決しようとする課題】
【０００４】
上記ダウンライトは、枠体を建物の天井等に設けられた取付孔等に固定した状態で、ユーザが第１固定部に対するねじの締付力に起因して生じる静止摩擦力以上の力を筐体に付与することで、ねじを長孔内を移動させて筐体を枠体に対して傾斜させる。
【０００５】
このような背景において、筐体が枠体に対して所望の角度傾斜している状態で筐体を枠体に対して静止させるのに十分な摩擦力を生成するようにすると、ねじを長孔内を移動させる操作性が低下することがある。そして、ねじが長孔内の端側に存在する規定の箇所まで移動しにくくなって、枠体に対して筐体を規定の最大傾斜角まで傾斜させにくくなることがある。他方、筐体を枠体に対して静止させる摩擦力が小さいと、筐体を枠体に確実に係止しにくくなる。
【０００６】
そこで、本開示の目的は、筐体を枠体に対して静止させるのに十分な摩擦力を確保し易く、ねじを長孔内の端側に存在する規定の箇所まで移動させ易い照明装置を提供することにある。
【課題を解決するための手段】
【０００７】
上記課題を解決するため、本開示に係る照明装置は、筐体と、枠体と、筐体内に配置される光源と、少なくとも一方側の端部に延在方向の外側に窪む窪みを有する長孔を含む平板状の第１固定部、及び枠体に固定される第２固定部を有する光軸角度調整部材と、第１固定部の厚さ方向の少なくとも一方側に第１固定部に接触するように配置され、樹脂で構成される円環状の樹脂ワッシャーと、第１固定部の厚さ方向の筐体側とは反対側に配置され、樹脂ワッシャーを第１固定部に押圧すると共に第１固定部を筐体側に押圧する付勢部材と、筐体に螺合する雄ねじ部を有して長孔及び樹脂ワッシャーの貫通孔を通過する軸部、及び付勢部材を第１固定部側に押圧する座面を有するねじと、を備える。なお、上記長孔は、ねじを固定する位置を変動させることができる構成であればよく、その延在方向の全てが湾曲してもよく、又はその延在方向の一部が湾曲する一方、その延在方向の他の一部が直線に平行でもよい。
【発明の効果】
【０００８】
本開示に係る照明装置によれば、筐体を枠体に対して静止させるのに十分な摩擦力を確保し易く、ねじを長孔内の端側に存在する規定の箇所まで移動させ易い。
【図面の簡単な説明】
【０００９】
【図１】本開示の一実施形態に係る照明装置の斜視図である。
【図２】光軸角度調整部材の斜視図である。
【図３】筐体に対する光軸角度調整部材の固定構造について説明する照明装置の一部の斜視図である。
【図４】図１のＡ−Ａ線模式断面図であり、照明装置においてねじの中心軸と長孔の幅方向を含む切断での模式断面図である。
【図５】図４に示す固定構造に含まれるばね座金の斜視図である。
【図６】（ａ）は、上側筐体固定部の厚さ方向の外側から見た、上側筐体固定部、第２樹脂ワッシャー、及びばね座金の位置関係を示す平面図であって、現実に起こり得る３つの部位の位置関係を示す平面図であり、（ｂ）は、（ａ）のＢ−Ｂ線模式断面図である。
【図７】照明装置の主要構成の分解斜視図である
【図８】照明装置の筐体の主面に配置されている状態の光源モジュールを示す斜視図である。
【図９】枠体の中心軸が光軸方向に略一致している状態における照明装置の一断面図である。
【図１０】レンズホルダとそれに保持されたレンズとで構成される光学ブロックの斜視図である。
【図１１】レンズホルダの斜視図である。
【図１２】レンズの斜視図である。
【図１３】回転部材の斜視図である。
【図１４】光学ブロックと回転部材が一体に統合された回転部材アッセンブリの斜視図である。
【図１５】筐体の第１部材の斜視図である。
【図１６】図１と異なる角度から見たときの照明装置の斜視図である。
【図１７】照明装置を下から見たときの斜視図である。
【図１８】（ａ）は、変形例の照明装置における図４に対応する模式断面図であり、（ｂ）は、他の変形例の照明装置における図４に対応する模式断面図である。
【図１９】（ａ）は、ウエーブワッシャの側面図であり、（ｂ）は、ウエーブワッシャの平面図である。
【図２０】（ａ）は、皿ばね座金の側面図であり、（ｂ）は、皿ばね座金平面図である。
【発明を実施するための形態】
【００１０】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の実施例では、図面において同一構成に同一符号を付し、重複する説明を省略する。また、異なる図間において、各部材における、縦、横、高さ等の寸法比は、必ずしも一致しない。また、図面、及び以下の説明において、Ｒ方向は、筐体１０の径方向であり、θ方向は、筐体１０の周方向である。また、Ｚ方向は、光軸方向であり、筐体１０の高さ方向に一致し、また、レンズ３０の中心軸の延在方向にも一致する。Ｒ方向、θ方向、及びＺ方向は、互いに直交する。また、以下の説明で、上側とは、光軸方向における光出射側とは反対側を指し、下側とは、光軸方向の光出射側を指す。また、以下で説明する傾斜溝を、Ｚ方向に対して傾斜すると共に互いに対向する一対の内側壁面を有する構造であって、一対の内側壁面の間に位置する嵌合部の少なくとも一部を一対の内側壁面でガイドすることで、嵌合部が、一対の内側壁面の延在方向に沿って移動することを可能とする構造として定義する。したがって、傾斜溝は、底部が存在する構造でもよいが、以下で説明する傾斜溝５１のように、光軸方向に対して傾斜する細長い長孔形状を有する貫通孔の構造を有して、回転部材若しくは光学ブロック（レンズアッセンブリ）の側壁を厚さ方向に貫通してもよい。また、以下で説明される構成要素のうち、最上位概念を示す独立請求項に記載されていない構成要素については、任意の構成要素であり、必須の構成要素ではない。
【００１１】
図１は、本開示の一実施形態に係る照明装置１の斜視図である。図１に示すように、照明装置１は、埋込型ユニバーサルダウンライトであり、ホール等の建物の天井に埋め込み配置され、下方に出射される出射光の光軸方向を変動させることができる。より詳しくは、図１に示すように、照明装置１は、筐体１０を備える。筐体１０は、有底円筒状部１１を有する。筐体１０は、有底円筒状部１１内に光源６２（図８参照）を取り付ける取付台として機能し、光源６２に対して静止する第１静止部に含まれる。筐体１０は、上方に突出する複数のフィン１２を有し、筐体全体が、光源６２で発生する熱を放散させるヒートシンクとしても機能し、特にフィン１２が光源６２からの熱を外気に放熱する。このため、筐体１０は、金属材料等の熱伝導率の高い材料によって構成されると好ましい。筐体１０は、例えば、アルミダイカスト等で、有底円筒状部１１とフィン１２を一体成形することで構成される。なお、筐体は、有底円筒状部とフィンを接合する構成でもよい。この場合、例えば、有底円筒状部に設けた突起を、フィンに設けられた孔に挿入した後に塑性変形させることで、有底円筒状部とフィンを接続してもよい。なお、筐体は、フィンを有さなくてもよい。
【００１２】
照明装置１は、更に、バネ取付部材１５、光軸角度調整部材１７、及び枠体２０を備える。バネ取付部材１５、光軸角度調整部材１７、及び枠体２０の夫々は、アルミニウム等の金属材料、又はポリブチレンテレフタレート等の樹脂材料によって好適に形成される。筐体１０、バネ取付部材１５、光軸角度調整部材１７、及び枠体２０は、次に示す如く一体化される。詳しくは、図１に示すように、バネ取付部材１５は、環状平板部１５ａと、２つのバネ取付部１５ｂを含み、２つのバネ取付部１５ｂは、環状平板部１５ａの周方向に間隔をおいた状態で環状平板部１５ａから下側に突出する。また、枠体２０は、筒状部材であり、環状円板状の上側端面（図示せず）を含む。また、図２、すなわち、光軸角度調整部材１７の斜視図に示すように、光軸角度調整部材１７は、環状平板部１７ａ、第１固定部としての板状の上側筐体固定部１７ｂ、及び第２固定部としての板状の下側筐体固定部１７ｃを含み、上側筐体固定部１７ｂは、環状平板部１７ａから上側に突出する一方、下側筐体固定部１７ｃは、環状平板部１７ａから下側に突出する。光軸角度調整部材１７は、金属で構成され、例えば、板金を折り曲げ加工して構成される。
【００１３】
再度、図１を参照して、バネ取付部材１５の環状平板部１５ａと枠体２０の上側端面とで光軸角度調整部材１７の環状平板部１７ａを挟持した状態で、環状平板部１５ａを枠体２０の上側端面にねじ２７で固定する。この固定で、バネ取付部材１５、光軸角度調整部材１７、及び枠体２０が一体化される。
【００１４】
図２に示すように、上側筐体固定部１７ｂは、長孔１７ｄを有し、下側筐体固定部１７ｃは、円筒孔１７ｅを有する。また、長孔１７ｄは、その延在方向の両端部に該延在方向の外側に窪む窪み１７ｆ,１７ｇを有する。また、図示はしないが、筐体１０は、光軸角度調整部材１７をねじ止めするための第１及び第２ねじ孔を有する。図３は、筐体１０に対する光軸角度調整部材１７の固定構造について説明する照明装置１の一部の斜視図である。図３に示すように、光軸角度調整部材１７は、長孔１７ｄ及び上記第１ねじ孔を用いてねじ２１で筐体１０にねじ止めされると共に、円筒孔１７ｅ（図２参照）及び第２ねじ孔を用いてねじ２５で筐体１０にねじ止めされる。
【００１５】
再度、図１を参照して、照明装置１は、更に、２つの取付バネ２３を備える。２つの取付バネ２３は、枠体外側にその中心軸を挟んで枠体２０の径方向に対向するように配置され、各取付バネ２３は、バネ取付部１５ｂに固定される。取付バネ２３は、例えば、屈曲部を有する金属板によって構成され、板バネ構造を有する。取付バネ２３を歪ませて、取付バネ２３を埋め込み孔の周囲に当接させる。上述のように、バネ取付部１５ｂは枠体２０に固定されている。したがって、枠体２０は、取付バネ２３が埋め込み孔内面から受ける水平方向の力で天井の埋め込み孔内面に略相対移動不可能に固定される。取付バネ２３は、枠体２０に取り付けられるので、枠体２０に対して静止し、天井の埋め込み孔にも静止する。なお、取付バネは３以上設けられてもよい。また、照明装置の天井への取付構造は、照明装置を天井に固定できる構造であれば如何なる構造でもよく、取付バネを含まなくてもよい。
【００１６】
図１に示すように、本実施形態では、枠体２０の中心軸の延在方向がＺ方向に略一致している状態では、筐体１０は、ねじ２１で紙面における長孔１７ｄの右端に固定される。枠体２０を、取付バネ２３を用いて埋め込み孔に固定した状態で、ユーザが上側筐体固定部１７ｂに対するねじ２１の締付力に起因して生じる静止摩擦力以上の力を筐体１０に付与したとする。すると、筐体１０が、円筒孔１７ｅ及び筐体１０に締め込まれたねじ２５（図３参照）を支点として、ねじ２１が長孔１７ｄ内を図１の左側に移動するように光軸角度調整部材１７に対して回転する。換言すると、上述のように、枠体２０が埋め込み孔内面に略相対移動不可能に固定され、光軸角度調整部材１７が枠体２０に対して相対移動不可能に固定されているので、筐体１０が枠体２０に対して傾斜し、ひいては、埋め込み孔に対して傾斜する。したがって、ユーザは、照明装置１が埋め込み孔に固定された後、筐体１０が埋め込み孔に対して所望の角度傾斜するように調整でき、筐体１０に固定された光源６２（図８参照）からの出射光の光軸を鉛直方向に対して所望の角度だけ傾斜させることができる。よって、照射領域の自由度を格段に高くできる。
【００１７】
次に、筐体１０に対する光軸角度調整部材１７の固定構造を更に詳細に説明する。図４は、図１のＡ−Ａ線模式断面図であり、照明装置１においてねじ２１の中心軸と長孔１７ｄの幅方向を含む切断での模式断面図である。また、図５は、当該構造に含まれるばね座金５６の斜視図である。図４に示すように、照明装置１は、円環状の第１樹脂ワッシャー４６、円環状の第２樹脂ワッシャー５３、円環状の金属ワッシャー５４、筒状の金属スペーサ５５、及び付勢部材の一例としてのばね座金５６を備える。第１樹脂ワッシャー４６、第２樹脂ワッシャー５３、金属ワッシャー５４の夫々は、押圧力を分散させる機能を含み、金属スペーサ５５は、距離を確保する機能を含む。
【００１８】
図４に示すように、筐体１０は、円筒内周面１０ｃと環状の段部１０ｄを含む凹部１０ｅを有し、段部１０ｄは、円筒内周面１０ｃからその径方向内方側に広がる。金属スペーサ５５は、一方側端面５５ａが段部１０ｄに当接するまで凹部１０ｅに内嵌される。第１樹脂ワッシャー４６、第２樹脂ワッシャー５３、及び金属ワッシャー５４の夫々は、金属スペーサ５５の外径と同一又はその外径よりも僅かに大きい内径を有する円筒孔を含む。なお、第１樹脂ワッシャー４６、第２樹脂ワッシャー５３、及び金属ワッシャー５４は、同一の外径を有すると好ましい。しかし、第１樹脂ワッシャー４６、第２樹脂ワッシャー５３、及び金属ワッシャー５４に、外径が異なる２以上のワッシャーが含まれてもよい。
【００１９】
第１樹脂ワッシャー４６は、その貫通孔４６ａの円筒内周面が金属スペーサ５５に外嵌されている状態で筐体１０の外面と上側筐体固定部１７ｂとで挟持される。また、第２樹脂ワッシャー５３は、その貫通孔５３ａの円筒内周面が金属スペーサ５５に外嵌されている状態で上側筐体固定部１７ｂの厚さ方向の第１樹脂ワッシャー４６側とは反対側の表面に接触し、金属ワッシャー５４は、その貫通孔５４ａの円筒内周面が金属スペーサ５５に外嵌されている状態で第２樹脂ワッシャー５３の厚さ方向の上側筐体固定部１７ｂ側とは反対側の表面に接触している。
【００２０】
図５に示すように、ばね座金５６は、環状の平座金の１か所が周方向の所定範囲に亘って切れて捻じれた構造を有している。また、ばね座金５６は、一端部５６ａが重心よりも厚さ方向の一方側に変位する一方、他端部５６ｂが重心よりも厚さ方向の他方側に変位した構造を有する。図４に示すように、ばね座金５６は、金属ワッシャー５４の厚さ方向の第２樹脂ワッシャー５３側とは反対側に金属スペーサ５５を取り囲むように配置される。ねじ２１の軸部２１ａは、金属スペーサ５５の円筒孔に内嵌され、軸部２１ａの先端側に設けられた雄ねじ部２１ｂは、筐体１０に設けられたねじ孔１０ｆに締め込まれる。この締め込みで、ねじ２１の座面２１ｃと、金属ワッシャー５４の厚さ方向の第２樹脂ワッシャー５３側とは反対側の面とで、ばね座金５６が挟持され、ばね座金５６が厚さ方向に圧縮される。
【００２１】
この圧縮で、ばね座金５６が弾性変形し、ばね座金５６の一端部５６ａと他端部５６ｂが、ばね座金５６の同じ厚さ方向位置に位置する。この弾性変形後、ばね座金５６の一端部５６ａは、図５に矢印Ｆ１で示すばね座金５６の厚さ方向の一方側に力を付与し、他端部５６ｂは、図５に矢印Ｆ２で示すばね座金５６の厚さ方向の他方側に力を付与する。したがって、圧縮された後、ばね座金５６は、一端部５６ａ及び他端部５６ｂの周辺で付勢力（押圧力）が最も大きくなる。
【００２２】
図４に示す光軸角度調整部材１７の固定構造を採用し、更に長孔１７ｄに窪み１７ｆ,１７ｇを設けたことで、優れた作用効果が導かれる。次に、その作用効果を、それを導出する構成に基づいて詳細に説明する。
【００２３】
上述のように、照明装置１は、筐体１０、枠体２０、筐体１０内に配置される光源６２を備える。また、照明装置１は、少なくとも一方側の端部に延在方向の外側に窪む窪み１７ｆ,１７ｇを有する長孔１７ｄを含む平板状の上側筐体固定部（第１固定部）１７ｂ、及び枠体２０に固定される下側筐体固定部（第２固定部）１７ｃを有する光軸角度調整部材１７を備える。また、照明装置１は、上側筐体固定部１７ｂの厚さ方向の少なくとも一方側に上側筐体固定部１７ｂに接触するように配置され、樹脂で構成される円環状の第１及び第２樹脂ワッシャー４６,５３を備える。また、照明装置１は、上側筐体固定部１７ｂの厚さ方向の筐体１０側とは反対側に配置され、第１及び第２樹脂ワッシャー４６,５３を上側筐体固定部１７ｂに押圧すると共に上側筐体固定部１７ｂを筐体１０側に押圧するばね座金（付勢部材）５６を備える。また、照明装置１は、筐体１０に螺合する雄ねじ部２１ｂを有して長孔１７ｄ及び第１及び第２樹脂ワッシャー４６,５３の貫通孔を通過する軸部２１ａ、及びばね座金５６を上側筐体固定部１７ｂ側に押圧する座面２１ｃを有するねじ２１を備える。
【００２４】
したがって、柔らかい樹脂製の第１及び第２樹脂ワッシャー４６,５３が金属板状の上側筐体固定部１７ｂに接触した状態で上側筐体固定部１７ｂを押圧するので、第１及び第２樹脂ワッシャー４６,５３と上側筐体固定部１７ｂとの間に十分な静止摩擦力を確保し易い。よって、枠体２０に対する筐体１０の傾斜角度が選択されて、筐体１０が上側筐体固定部１７ｂに対して静止した際に、上側筐体固定部１７ｂに対する筐体１０の静止摩擦力を大きくでき、筐体１０を上側筐体固定部１７ｂに確実に静止させることができる。
【００２５】
更には、長孔１７ｄが、少なくとも一方側の端部に延在方向の外側に窪む窪み１７ｆ,１７ｇを有するので、上側筐体固定部１７ｂに対する筐体１０の相対移動の操作性も円滑にできる。次にこの理由について説明する。
【００２６】
図６（ａ）は、上側筐体固定部１７ｂの厚さ方向の外側から見た、上側筐体固定部１７ｂ、第２樹脂ワッシャー５３、及びばね座金５６の位置関係を示す平面図であり、現実に起こり得る３つの部位の位置関係を示す平面図である。
【００２７】
本実施形態では、十分な摩擦力を確保し易くて柔らかい第２樹脂ワッシャー５３を使用している。したがって、図６（ａ）に示すように、ばね座金５６において押圧力が大きい切れ目周辺５６ｃが厚さ方向から見たときに長孔１７ｄに重なる配置となったとき、柔らかい第２樹脂ワッシャー５３の一部が切れ目周辺５６ｃからの押圧力で上側筐体固定部１７ｂ側に変形し易い。
【００２８】
そして、図６（ｂ）、すなわち、図６（ａ）のＢ−Ｂ線模式断面図に示すように、第２樹脂ワッシャー５３の一部５３ｂが、当該押圧力で長孔１７ｄ内に入り込み易い。したがって、上側筐体固定部の長孔に図２に示す窪み１７ｆ,１７ｇが存在しない場合、ねじ２１（図３参照）を長孔の規定の端位置まで移動させようとしても、当該一部５３ｂが、ねじ２１の軸部２１ａと長孔の延在方向の端面との間に入り込んで噛み込み、ねじ２１が規定の端位置に到達しにくくなることがあり、筐体１０が規定の傾斜角度に到達しにくいことがある。
【００２９】
これに対し、本照明装置１では、長孔１７ｄが、延在方向の両端部に外側に窪む窪み１７ｆ,１７ｇを有するので、上記一部５３ｂを窪み１７ｆ,１７ｇに押し込むことができ、当該一部５３ｂを窪み１７ｆ,１７ｇに逃がすことができる。よって、ねじ２１を規定の端位置まで円滑かつ容易に移動させることができるので、枠体２０に対する筐体１０の傾斜角度調整の操作性を良好なものにでき、枠体２０に対する筐体１０の規定の最大傾斜角度を容易に実現できる。
【００３０】
また、照明装置１が、ねじ２１の軸部２１ａが挿入され、座面２１ｃで筐体１０側に押圧される筒状の金属スペーサ５５を備えてもよい。
【００３１】
本構成によれば、金属スペーサ５５の軸方向長さを調整することで、ばね座金５６の厚さ方向の圧縮長さ（ばね座金５６の厚さ方向のつぶし量）を調整できる。したがって、筐体１０と上側筐体固定部１７ｂとの間に所望の大きさの静止摩擦力を生成し易い。
【００３２】
更には、筒状の金属スペーサ５５が、長孔１７ｄにおいて窪み１７ｆ,１７ｇに繋がる延在方向の両端面１７ｈ,１７ｉ（図２参照）に接触する位置を、枠体２０に対する筐体１０の傾斜角度の上限や下限とすることができる。よって、ねじ２１の軸部２１ａよりも外径が大きい筒状の金属スペーサ５５を、傾斜角度の上限や下限を決定する部材とできるので、枠体２０に対する筐体１０の精度高い傾斜角度範囲を実現し易い。なお、本実施例では、筒状の金属スペーサ５５を採用したが、筒状で樹脂製のスペーサを採用してもよい。
【００３３】
また、照明装置１は、上側筐体固定部１７ｂの厚さ方向の筐体１０側とは反対側に配置される第２樹脂ワッシャー５３、及び第２樹脂ワッシャー５３とばね座金５６との間に配置され、金属で構成される円環状の金属ワッシャー５４を備えてもよい。また、ねじ２１の軸部２１ａが、金属ワッシャー５４の貫通孔を通過してもよい。
【００３４】
本構成によれば、第２樹脂ワッシャー５３が金属ワッシャー５４と上側筐体固定部１７ｂとで挟持されることになるので、金属ワッシャー５４で第２樹脂ワッシャー５３の撓みを抑制できる。したがって、第２樹脂ワッシャー５３の一部５３ｂの上記噛み込みを抑制できるので、長孔１７ｄ内でのねじ２１の移動性を更に円滑にでき、枠体２０に対する筐体１０の傾斜角の角度調整の操作性を更に円滑なものにできる。
【００３５】
また、第１及び第２樹脂ワッシャー４６,５３を上側筐体固定部１７ｂに押圧する付勢部材が、環状の平座金の１か所が切れて捻じれた構造を有するばね座金５６でもよい。すなわち、ばね座金５６は、一端部５６ａが重心よりも厚さ方向の一方側に変位する一方、他端部５６ｂが重心よりも厚さ方向の他方側に変位してもよい。また、ねじ２１の軸部２１ａが、ばね座金５６の中央に設けられたスペース７１（図５）を通過してもよい。
【００３６】
ばね座金５６は付勢力が大きいので、一般的には、ばね座金５６を用いると枠体に対する筐体の角度調整の操作性が低下し易い。しかしながら、本開示によれば、長孔１７ｄが上述の窪み１７ｆ,１７ｇを有するので、当該操作性も良好なものにできる。したがって、本構成によれば、筐体１０と上側筐体固定部１７ｂとの間に十分な静止摩擦力を生成できるだけでなく、枠体に対する筐体の角度調整の操作性も良好なものにできる。
【００３７】
なお、筐体１０は、Ｚ方向に対して片側のみに傾斜可能な構成でもよく、Ｚ方向に対して両側に傾斜可能な構成でもよい。また、最大傾斜角度は、筐体１０がＺ方向に対して片側のみに傾斜可能な構成の場合、Ｚ方向に対する片側の傾斜角度が９０°よりも小さい角度であればよい。また、最大傾斜角度は、筐体１０がＺ方向に対して両側に傾斜可能な構成の場合、Ｚ方向に対する片側の傾斜角度が９０°よりも小さい角度であればよく、Ｚ方向に対する両側の傾斜角度が１８０°よりも小さい角度であればよい。また、筐体１０が、Ｚ方向に対して両側に傾斜可能な場合を例に説明を行うと、最大傾斜角度は、例えば、Ｚ方向に対して片側８０°で両側１６０°でもよく、Ｚ方向に対して片側７０°で両側１４０°でもよい。又は、最大傾斜角度は、Ｚ方向に対して片側６０°で両側１２０°でもよく、Ｚ方向に対して片側５０°で両側１００°でもよい。又は、最大傾斜角度は、Ｚ方向に対して片側４５°で両側９０°でもよい。
【００３８】
次に、光源６２に対するレンズ３０のＺ方向位置の変動を可能とし、出射光の狭角制御を可能にする照明装置１の構造について説明する。図７は、照明装置１の主要構成の分解斜視図である。また、図８は、筐体１０の主面２４に配置されている状態の光源モジュール６０を示す斜視図であり、図９は、枠体２０の中心軸がＺ方向に略一致している状態における照明装置１の断面図である。
【００３９】
図７に示すように、照明装置１は、筐体１０及び枠体２０に加えて、レンズ３０、レンズホルダ４０、及び回転部材５０を備える。また、図８に示すように、照明装置１は、筐体１０の主面に固定される光源モジュール６０を備え、光源モジュール６０は、基板６１と、光源６２を有する。基板６１は、平面視で略矩形の形状を有し、光源６２は、円板状の形状を有し、基板６１の下面（実装面）の略中央に配設される。光源モジュール６０は、例えば、ＣＯＢ（Chip On Board）構造を有し、光源６２は、基板６１に実装された複数のＬＥＤ（light emitting diode）と、複数のＬＥＤを封止する封止部材を含む。
【００４０】
基板６１は、例えば、セラミックス基板、樹脂基板、又はメタルベース基板等で構成される。詳述しないが、基板６１には、一対の電極端子と、所定パターンの金属配線が形成される。一対の電極端子は、ＬＥＤを発光させるための直流電力を外部から受電するために設けられる。また、所定パターンの金属配線は、ＬＥＤ同士を電気的に接続するために設けられる。
【００４１】
ＬＥＤは、発光素子の一例である。ＬＥＤは、例えば、単色の可視光を発するベアチップで構成され、通電されれば青色光を発する青色ＬＥＤチップで構成される。複数のＬＥＤは、例えば基板６１にマトリクス状に配置される。なお、ＬＥＤは、基板に１つのみ実装されてもよい。封止部材は、例えば、透光性樹脂で構成され、蛍光体を含む。蛍光体は、ＬＥＤからの光を波長変換する役割を果たす。封止部材は、例えば、シリコーン樹脂に蛍光体粒子を分散させた蛍光体含有樹脂で構成される。光源モジュール６０が白色光を出射し、ＬＥＤが青色光を発光する青色ＬＥＤチップである場合、蛍光体粒子は、例えばＹＡＧ系の黄色蛍光体で構成される。
【００４２】
なお、封止部材は、例えば、全てのＬＥＤを一括封止してもよく、複数のＬＥＤを列ごとにライン状に封止してもよく、各ＬＥＤを１つずつ個別に封止してもよい。また、光源は、ＬＥＤ以外の発光素子で構成されてもよく、半導体レーザ素子や、有機ＥＬ（Electro Luminescence）素子若しくは無機ＥＬ素子等の固体発光素子等で構成されてもよい。又は、光源は、白熱灯や蛍光灯で構成されてもよい。
【００４３】
図８に示すように、基板６１は、例えば、筐体１０の主面２４に設けられた凹部６４に収容される。また、照明装置１は、図示しない２つの基板ホルダを有し、２つの基板ホルダは、基板６１の下側かつ長手方向又は幅方向の両側に配置される。基板ホルダは、例えば、筐体１０に固定された状態でＺ方向から見たときに基板の長手方向又は幅方向の両側端部６１ｅに重なる基板受部（図示せず）を有する。基板ホルダは、図示しないねじを用いて筐体１０の主面２４にねじ孔６５を用いて締め込み固定され、基板６１は、基板受部で主面２４側に押圧されることで筐体１０に固定される。なお、基板を保持する取付板（図示せず）を設け、取付板を基板ホルダとねじを用いて筐体の主面に固定してもよい。
【００４４】
図９を参照して、レンズ３０は、Ｚ方向に関して、光源６２（図８参照）よりも光出射側に配置される。より正確には、レンズ３０におけるＺ方向の光出射側の端面９６は、光源６２よりもＺ方向の光出射側に位置する。また、レンズホルダ４０は、レンズ３０を取り囲むように配置され、回転部材５０は、レンズホルダ４０を取り囲むように配置される。
【００４５】
図１０は、レンズホルダ４０とそれに保持されたレンズ３０とで構成される光学ブロック７０の斜視図であり、図１１は、レンズホルダ４０の斜視図であり、図１２は、レンズ３０の斜視図である。図１０に示すように、レンズホルダ４０は、環状部材であり、レンズ３０を取り囲むように配置される。レンズホルダ４０は、アルミニウム等の金属材料、又はポリブチレンテレフタレート等の樹脂材料によって好適に形成される。また、レンズ３０は、透光性を有する透光性材料によって構成され、アクリル、ポリカーボネート、シリコーン等の透明樹脂材料、又は、ガラス材料によって形成されると好ましい。
【００４６】
図１１に示すように、レンズホルダ４０は、周方向に間隔をおいて配置される３つのホルダ係止部４１を有し、各ホルダ係止部４１は、Ｚ方向に延在する。ホルダ係止部４１は、Ｒ方向内方に凸の凹面４１ａを含み、凹面４１ａはＲ方向外方を向き、Ｚ方向に延在する。ホルダ係止部４１の役割については後で説明する。また、レンズホルダ４０は、３つのレンズ嵌合部４２を有し、３つのレンズ嵌合部４２は、θ方向に略等間隔に配置されて内周側に配置される。レンズ嵌合部４２は、Ｒ方向内方に突出する突出部で構成される。図１２に示すように、レンズ３０は、Ｚ方向下側に行くにしたがって末広がりとなる形状を有する。レンズ３０は、外周側の下側端部にθ方向に略等間隔に配置される３つのホルダ嵌合部３１を有する。ホルダ嵌合部３１は、レンズ嵌合部４２（図１１参照）の形状に対応する形状を有して、Ｒ方向内側に窪む凹部で構成される。レンズ嵌合部４２をホルダ嵌合部３１に圧入で嵌合させることで、レンズ３０がレンズホルダ４０に固定され、その結果、図１０に示す光学ブロック７０が構成される。
【００４７】
次に、回転部材５０に対する光学ブロック７０の相対移動可能な統合構造について説明する。図１１に示すように、レンズホルダ４０は、外周側に２つの嵌合爪４８を有する。嵌合爪４８は、嵌合部の一例である。２つの嵌合爪４８は、Ｒ方向に対向するように配置され、各嵌合爪４８は、一対の傾斜面４８ａ,４８ｂを有する板形状を有する。各傾斜面４８ａ,４８ｂは、Ｚ方向に対して傾斜する方向に延在する。
【００４８】
図１３は、回転部材５０の斜視図である。回転部材５０は、ポリカーボネート等のばね性を有する樹脂材料で構成されると好ましいが、硬い樹脂材料や金属材料で構成されてもよい。図１３に示すように、回転部材５０は、略円筒状の部材であり、θ方向に間隔をおいて配置される２つの傾斜溝５１を有する。傾斜溝５１は、螺旋溝の一部からなる形状を有する。傾斜溝５１は、Ｚ方向に対して傾斜し、θ方向一方側に行くにしたがって回転部材５０のＺ方向下側からＺ方向上側まで延在する。傾斜溝５１は、回転部材５０を厚さ方向に貫通する細長い長孔形状の貫通孔の構造を有し、Ｚ方向に対向する一対の内壁面（傾斜面）５１ａ,５１ｂを含む。
【００４９】
図１４に示すように、光学ブロック７０においてＲ方向外方に突出する嵌合爪４８を、回転部材５０の傾斜溝５１に嵌合させることで、光学ブロック７０と回転部材５０が一体に統合され、回転部材アッセンブリ８０が構成される。嵌合爪４８は、傾斜溝５１内を傾斜溝５１の延在方向に移動可能になっている。光学ブロック７０が、図１４に示す状態から回転部材５０に対して図１４にθ１に示す方向に相対回転すると、レンズ３０が回転部材５０に対してＺ方向上側に移動する。このように、傾斜溝５１内における嵌合爪４８の存在位置を調整することで、回転部材５０に対するレンズ３０のＺ方向位置を調整できる。
【００５０】
次に、筐体１０に対する回転部材アッセンブリ８０の取付構造について説明する。図７に示すように、筐体１０は、２分割構造を有し、第１部材１０ａと第２部材１０ｂを含む。図１５は、筐体１０の第１部材１０ａの斜視図である。図１５に示すように、筐体１０は、主面２４側からＺ方向下側に延在する複数の柱状部（リブ）１８を有する。柱状部１８は、光源６２に対して静止する第１静止部に設けられ、第１静止部側係止部を構成する。柱状部１８の先端面は、Ｒ方向内方側に凸の凸面１８ａとなっている。本実施例では、図１５に示す第１部材１０ａが、２つの柱状部１８を有し、第２部材１０ｂが、１つの柱状部（図示せず）を有する。
【００５１】
３つの柱状部１８の凸面１８ａは、回転部材アッセンブリ８０に含まれるレンズホルダ４０の３つのホルダ係止部４１の凹面４１ａ（図１４参照）に係止される。その後、図１６、すなわち、図１と異なる角度から見たときの照明装置１の斜視図に示すように、ねじ８８で第１部材１０ａと第２部材１０ｂを一体化することで、回転部材アッセンブリ８０が筐体１０に取り付けられ、筐体１０と一体化される。
【００５２】
図９に示すように、回転部材５０は、第１環状フランジ部５７と、それよりもＺ方向下側に位置する第２環状フランジ部５８を有し、Ｚ方向におけるそれらのフランジ部５７,５８の間には、環状溝５９が設けられる。また、筐体１０は、Ｚ方向下側にＲ方向内方側に突出する環状突出部１９を有する。第１部材１０ａと第２部材１０ｂが一体化されて、筐体１０と回転部材アッセンブリ８０が統合された状態で、環状突出部１９は環状溝５９内に配置される。Ｚ方向から見たとき、第１環状フランジ部５７は、環状突出部１９に重なる部分を有し、筐体１０においてＺ方向下側に位置する環状端面１４は、第２環状フランジ部５８に重なる部分を有する。図９に示すように、第１環状フランジ部５７の下面が環状突出部１９の上面に接触している状態で、環状端面１４は、第２環状フランジ部５８の上面に僅かな隙間を介してＺ方向に対向する。筐体１０に対する回転部材５０の下側移動は、環状突出部１９で規制され、筐体１０に対する回転部材５０の上側移動は、筐体１０の環状端面１４で規制される。その結果、回転部材５０は、筐体１０に対してＺ方向位置が略変化しない状態で筐体１０に対して相対回転可能となる。また、上記僅かな隙間が存在するため、回転部材５０を筐体１０に対して円滑に回転させることができる。筐体１０に対する回転部材５０のＺ方向位置は、その僅かな隙間のＺ方向長さだけ変動する。よって、繰り返しになるが、筐体１０に対する回転部材５０のＺ方向位置は略変動しない。
【００５３】
再度、図１３を参照して、回転部材５０は、人がそれをつかんで回転させるための環状の把持部５２をＺ方向下側に有する。図１７、すなわち、照明装置１を下から見たときの斜視図に示すように、筐体１０と回転部材５０との間には隙間が存在する。したがって、人が、指をその隙間に挿入して回転部材５０の把持部５２を回転させることができ、筐体１０に対して回転部材５０をθ方向の双方向に自在に回転させることができる。
【００５４】
上記構成において、人が把持部５２を用いて筐体１０に対して回転部材５０を回転させたとする。すると、光学ブロック７０が、そのホルダ係止部４１の柱状部１８への係止によって筐体１０に対して回転できない状態となっているため、回転部材５０の回転と共に連れ回りすることがなく、回転部材５０が、光学ブロック７０に対して相対回転する。したがって、この相対回転によって、嵌合爪４８が、傾斜溝５１内を移動し、その結果、光学ブロック７０が回転部材５０に対してＺ方向に相対移動する。よって、上述のように、回転部材５０が回転しても、回転部材５０のＺ方向位置が殆ど変化しないので、光学ブロック７０のＺ方向位置を自在に変動させることができ、それに含まれるレンズ３０のＺ方向位置も自在に変動させることができる。
【００５５】
なお、本開示は、上記実施形態およびその変形例に限定されるものではなく、本願の特許請求の範囲に記載された事項およびその均等な範囲において種々の改良や変更が可能である。
【００５６】
例えば、上記実施形態では、ばね座金５６と第２樹脂ワッシャー５３との間に円環状の金属ワッシャー５４が存在する場合について説明した。しかし、図１８（ａ）、すなわち、変形例の照明装置１０１における図４に対応する模式断面図に示すように、円環状の金属ワッシャーを省略して、ばね座金５６が第２樹脂ワッシャー５３を直接上側筐体固定部１７ｂに押圧する構成でもよい。
【００５７】
また、照明装置１が、ねじ２１の軸部２１ａが内嵌される筒状の金属スペーサ５５を有し、ばね座金５６のつぶし量を精密に設定できる場合について説明した。しかし、図１８（ｂ）、すなわち、他の変形例の照明装置２０１における図４に対応する模式断面図に示すように、照明装置２０１は、ねじ２１の軸部２１ａが内嵌される筒状のスペーサを有さなくてもよい。
【００５８】
また、付勢部材が、環状の平座金の１か所が切れて捻じれた構造を有するばね座金５６である場合について説明した。しかし、付勢部材は、図１９（ａ）に側面図を示し、図１９（ｂ）に平面図を示すウエーブワッシャ３５６でもよい。又は、付勢部材は、図２０（ａ）に側面図を示し、図２０（ｂ）に平面図を示す皿ばね座金４５６でもよい。又は、付勢部材は、歯付き座金、球面座金、ロックワッシャー、又はテーパーワッシャー等でもよい。
【００５９】
また、窪み１７ｆ,１７ｇを、長孔１７ｄの延在方向の両側に設ける場合について説明したが、窪みを、長孔の延在方向の片側のみに設けてもよい。又は、円環状の第１樹脂ワッシャー４６が上側筐体固定部１７ｂよりも筐体１０側に設けられ、円環状の第２樹脂ワッシャー５３が上側筐体固定部１７ｂよりも付勢部材側に設けられる場合について説明した。しかし、樹脂ワッシャーは、第１固定部の厚さ方向の少なくとも一方側に第１固定部に接触するように設けられればよく、円環状の第１樹脂ワッシャー４６と円環状の第２樹脂ワッシャー５３のどちらか一方を省略してもよい。
【００６０】
また、回転部材５０が傾斜溝５１を有し、光学ブロック７０が嵌合爪４８を有する場合について説明した。しかし、光学ブロックが外周面に光軸方向に対して傾斜する傾斜溝を有してもよく、回転部材が、傾斜溝に嵌り込んで回転部材が回転すると傾斜溝内における存在位置が変動する嵌合部を有してもよい。
【００６１】
また、光学ブロック７０をレンズホルダ４０及びレンズ３０で構成する場合について説明した。しかし、光学ブロックは、レンズのみで構成されてもよい。
【００６２】
また、傾斜溝５１が、回転部材５０を厚さ方向に貫通する場合について説明した。しかし、傾斜溝は、回転部材又は光学ブロックの側壁部を厚さ方向に貫通しなくてもよく、一対の側壁部の間を連結する底部を有してもよい。但し、傾斜溝が、それが形成される部材を厚さ方向に貫通する貫通孔の構造を有している場合、嵌合爪の該厚さ方向の寸法を大きくできて嵌合爪の体積を大きくできる。よって、嵌合爪の強度を大きくできて好ましい。
【００６３】
また、傾斜溝５１に嵌り込む嵌合部が、板形状の嵌合爪４８である場合について説明した。しかし、傾斜溝に嵌り込む嵌合部は、板形状以外の如何なる形状でもよく、例えば、ピン形状等を有してもよい。また、この場合、回転部材の内側に光学ブロックを配置した状態で先端部に雄ねじを有するピンを回転部材の外側から回転部材の傾斜溝を通過するように光学ブロックの側面の雌ねじに締め込むことで回転部材と光学ブロックを一体化してもよい。
【００６４】
また、レンズ嵌合部４２が、Ｒ方向内方に突出する突出部で構成され、ホルダ嵌合部３１が、Ｒ方向内側に窪む凹部で構成される場合について説明した。しかし、レンズ嵌合部が、Ｒ方向外側に窪む凹部で構成され、ホルダ嵌合部が、Ｒ方向外方に突出すると共にその凹部に嵌合する突出部で構成されてもよい。
【００６５】
また、レンズホルダ４０が、θ方向に互いに間隔をおいて配置される３つのホルダ係止部４１を有していたが、レンズホルダは、１以上のホルダ係止部を有してもよく、θ方向に互いに間隔をおいて配置される２以上のホルダ係止部を有してもよい。また、筐体１０が、θ方向に互いに間隔をおいて配置される３つの柱状部１８（第１静止部側係止部）を有していたが、筐体１０が、１以上の第１静止部側係止部を有してもよく、θ方向に互いに間隔をおいて配置される２以上の第１静止部側係止部を有してもよい。
【００６６】
また、レンズホルダ４０が、θ方向に互いに間隔をおいて配置される３つのレンズ嵌合部４２を有し、レンズ３０が、θ方向に互いに間隔をおいて配置される３つのホルダ嵌合部３１を有する場合について説明した。しかし、レンズホルダは、１以上のレンズ嵌合部を有してもよく、θ方向に互いに間隔をおいて配置される２以上のレンズ嵌合部を有してもよい。また、レンズも、１以上のホルダ嵌合部を有してもよく、θ方向に互いに間隔をおいて配置される２以上のホルダ嵌合部を有してもよい。また、照明装置１が、θ方向に互いに間隔をおいて配置される２つの傾斜溝５１を有する場合について説明した。しかし、照明装置１は、１つのみの傾斜溝を有してもよく、θ方向に互いに間隔をおいて配置される３以上の傾斜溝を有してもよい。なお、照明装置が、Ｎ（Ｎは、いずれかの自然数）の傾斜溝を有する場合、回転部材が、筐体に対して（３６０／Ｎ）°回転すればよく、例えば、照明装置が、２以上の傾斜溝を有する場合、回転部材が筐体に対して３６０°回転する必要はない。
【００６７】
また、レンズホルダ４０が、Ｚ方向に延在するホルダ係止部４１を有する場合について説明した。しかし、筐体に対するレンズホルダの連れ回り防止を、それ以外の如何なる構造で行ってもよい。例えば、レンズホルダの高さ方向上側に径方向外方に延びる突出部を設け、この突出部の径方向外方側の先端部を、筐体の内面に設けられた凹部に収容することでレンズホルダの筐体に対する連れ回り防止を行ってもよい。そのような係止は、本実施例のように筐体を分割構造にすることで実現できる。
【００６８】
また、光学ブロック７０が、そのホルダ係止部４１の柱状部１８への係止によって筐体１０に対して回転できない状態となる場合について説明した。しかし、光学ブロックは、光源に対して静止する静止部に対して周方向の狭い所定領域のみ周方向に回転可能になっていてもよく、回転部材が回転したとき、光学ブロックが周方向の僅かな範囲のみ回転部材に連れ回る構成でもよい。光源に対して静止している静止部に対する光学ブロックの相対回転を許容する構成を採用しても、相対回転の範囲を所定の周方向領域に制限することで光学ブロックの光軸方向の移動を円滑に実行できる。
【００６９】
また、回転部材５０に、第１環状フランジ部５７と、それよりもＺ方向下側に位置する第２環状フランジ部５８を設け、筐体１０の環状突出部１９を、第１環状フランジ部５７と第２環状フランジ部５８の間に配置する場合について説明した。そして、回転部材５０を、筐体１０に対するＺ方向位置が略変わらない状態で回転可能にする構成を実現する場合について説明した。
【００７０】
しかし、実施例で説明した構成と異なる構成で、回転部材が、Ｚ方向位置が略変わらない状態で筐体に対して回転可能となるようにしてもよい。例えば、回転部材の第１環状フランジ部、回転部材の第２環状フランジ部、及び筐体の環状突出部のうちの１以上は、環状構造でなくてもよく、非環状でもよい。
【００７１】
また、回転部材５０が、２つの環状フランジ部を有し、筐体１０が、径方向内方に突出する１つの環状突出部１９を有する場合について説明した。しかし、回転部材が、径方向外方に突出する１つのみの環状突出部を有し、筐体が、径方向内方に突出すると共に光軸方向位置が異なる２つの環状フランジ部を有する構成でもよい。そして、照明装置が組み立てられた際、光軸方向から見たときに環状突出部の径方向外方の先端が２つの環状フランジ部の両方に重なる状態で、環状突出部が２つの環状フランジ部の間に位置してもよい。要は、照明装置は、回転部材がそのＺ方向位置が略変わらない状態で筐体に対して回転可能となる如何なる構造を有してもよい。
【００７２】
また、レンズ３０の光軸方向の位置が変動しても、照明装置１の筐体１０のＺ方向寸法が変化しなくて、照明装置１が美観に優れる場合について説明した。しかし、レンズの光軸方向の位置が変動すると、筐体のＺ方向寸法が変動する構成でもよい。また、照明装置１が、レンズ３０の光軸方向の位置を変動させることができる場合について説明したが、照明装置は、レンズ３０の光軸方向の位置を変動させることができなくてもよい。
【００７３】
また、ダウンライトやスポットライトは多種多様な構造が存在するが、本開示の技術は、それらの多種多様のダウンライトやスポットライトのうちのいずれの構造が基本となっていてもよい。要は、照明装置は、筐体と、枠体と、筐体内に配置される光源と、少なくとも一方側の端部に延在方向の外側に窪む窪みを有する長孔を含む平板状の第１固定部、及び枠体に固定される第２固定部を有する光軸角度調整部材と、第１固定部の厚さ方向の少なくとも一方側に第１固定部に接触するように配置され、樹脂で構成される円環状の樹脂ワッシャーと、第１固定部の厚さ方向の筐体側とは反対側に配置され、樹脂ワッシャーを第１固定部に押圧すると共に第１固定部を筐体側に押圧する付勢部材と、筐体に螺合する雄ねじ部を有して長孔及び樹脂ワッシャーの貫通孔を通過する軸部、及び付勢部材を第１固定部側に押圧する座面を有するねじと、を備える構成を有すれば、如何なる構造の照明装置でもよい。
【符号の説明】
【００７４】
１,１０１,２０１  照明装置、  １０  筐体、  １７  光軸角度調整部材、  １７ｂ  上側筐体固定部（第１固定部）、  １７ｃ  下側筐体固定部（第２固定部）、  １７ｄ  長孔、  １７ｆ,１７ｇ  窪み、  ２０  枠体、  ２１  ねじ、  ２１ａ  ねじの軸部、  ２１ｂ  ねじの雄ねじ部、  ２１ｃ  ねじの座面、  ４６  円環状の第１樹脂ワッシャー、  ５３  円環状の第２樹脂ワッシャー、  ５４  円環状の金属ワッシャー、  ５５  筒状の金属スペーサ、  ５６  ばね座金（付勢部材）、  ５６ａ  ばね座金の一端部、  ５６ｂ  ばね座金の他端部、  ６２  光源、  ７１  ばね座金の中央に設けられたスペース、３５６  ウエーブワッシャ（付勢部材）、  ４５６  皿ばね座金（付勢部材）。
【図１】
2020113480.tif 000003
【図２】
2020113480.tif 000004
【図３】
2020113480.tif 000005
【図４】
2020113480.tif 000006
【図５】
2020113480.tif 000007
【図６】
2020113480.tif 000008
【図７】
2020113480.tif 000009
【図８】
2020113480.tif 000010
【図９】
2020113480.tif 000011
【図１０】
2020113480.tif 000012
【図１１】
2020113480.tif 000013
【図１２】
2020113480.tif 000014
【図１３】
2020113480.tif 000015
【図１４】
2020113480.tif 000016
【図１５】
2020113480.tif 000017
【図１６】
2020113480.tif 000018
【図１７】
2020113480.tif 000019
【図１８】
2020113480.tif 000020
【図１９】
2020113480.tif 000021
【図２０】
2020113480.tif 000022